(57)【要約】【課題】エア・スポイラによりディスク上に付着する塵埃を低減する。【解決手段】本発明の一実施形態のＨＤＤに実装されているエア・スポイラ５００は、その下流における気流の乱れを抑制するため、流出側において厚みが徐々に減少するように構成されている翼５０１ａ〜５０１ｃを有する。エア・スポイラは、その表面が導電性あるいはマイナスに帯電する性質を有している。エア・スポイラの表面が上記電気特性を有することで、プラス帯電した塵埃がエア・スポイラと磁気ディスクとの間において磁気ディスクに吸着されることを抑制することができる。エア・スポイラの本体部は樹脂で形成されており、高い精度で効率的な製造を実現する。【選択図】図２
2010134988.tif 000002
【特許請求の範囲】
【請求項１】
ディスクを回転するモータと、
前記モータが固定されているベースと、
前記ディスクにアクセスするヘッド・スライダを支持し、回動軸において回動することで前記ヘッド・スライダを移動するアクチュエータと、
前記ベース内に固定されており、前記ディスクの記録面と対向しており流出側において厚みが徐々に小さくなるプレートと前記プレートを支持する支持部とを有し、前記プレート及び前記支持部の本体部が樹脂で形成されており、前記プレートの表面がグランド電位あるいはマイナス電位に帯電している、気流抑制部品と、
を有する、ディスク・ドライブ。
【請求項２】
前記気流抑制部品の全体は導電性樹脂で一体成形されている、
請求項１に記載のディスク・ドライブ。
【請求項３】
前記プレートは、その後縁に、上側プレート面と下側プレート面とをつなげる端面を有している、
請求項１に記載のディスク・ドライブ。
【請求項４】
前記プレートの上側プレート面と下側プレート面とのそれぞれは、前記流出側において厚みが徐々に小さくなるように、テーパー面を有している、
請求項１に記載のディスク・ドライブ。
【請求項５】
前記プレートの流入端面にディスク半径方向の延びる溝が形成されている、
請求項１に記載のディスク・ドライブ。
【請求項６】
前記翼の上側プレート面と下側プレート面とのそれぞれは粗面化された部分を有している、
請求項１に記載のディスク・ドライブ。
【請求項７】
前記支持部は、前記ディスクの外周端と対向し、その外周端に沿った形状を有する内側面を有する、
請求項１に記載のディスク・ドライブ。
【請求項８】
前記プレート及び前記支持部は、その表面にメッキ金属層あるいはマイナス帯電コーディング層を有している、
請求項１に記載のディスク・ドライブ。
【発明の詳細な説明】
【技術分野】
【０００１】
本発明はディスク・ドライブに関し、特に、気流を遮ることでヘッド・ポジショニング精度を向上するエア・スポイラやディスク・ダンパなどの気流抑制部品に関する。
【背景技術】
【０００２】
光ディスクや磁気テープなどの様々な態様のメディアを使用するデータ記憶装置が知られている。その中で、ハードディスク・ドライブ（以下、ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
ＨＤＤで使用される磁気ディスクは、同心円状に形成された複数のデータ・トラックと、円周方向に離散的に配置された複数のサーボ・セクタとを有している。ユーザ・データは、データ・セクタを単位として記録されており、各サーボ・セクタの間にデータ・セクタが記録されている。揺動するアクチュエータが回転する磁気ディスク上においてヘッド・スライダを移動する。ヘッド・スライダヘッド素子部が、サーボ・セクタが示す位置データに従って所望のデータ・セクタにアクセスすることによって、データ・セクタへのデータ書き込み及びデータ・セクタからのデータ読み出しを行うことができる。
【０００４】
ヘッド素子部はスライダに固定されており、これらがヘッド・スライダを構成する。ヘッド・スライダは揺動するアクチュエータに固定されている。スライダが回転している磁気ディスク上を浮上し、アクチュエータがヘッド・スライダ（ヘッド素子部）を磁気ディスク上の所望の半径位置にポジショニングする。データ読み出し処理において、ヘッド素子部が磁気ディスクから読み出した信号は、信号処理回路によって波形整形や復号処理などの所定の信号処理が施され、ホストに送信される。ホストからの転送データは、信号処理回路によって所定処理された後に、磁気ディスクに書き込まれる。
【０００５】
ＨＤＤにおいては、磁気ディスクの回転によって発生する気流が問題とされる。例えば、この気流によってアクチュエータが揺れることによって、ヘッドの正確なポジショニングを妨げられる。この他、磁気ディスクの回転によって発生する気流の乱れによって引き起こされる磁気ディスクの揺れ（ディスク・フラッタ）が問題とされる。ディスク・フラッタは、ヘッド自体の揺れと同様に、トラックに対するヘッドの正確なポジショニングを妨げる。このような、気流によって引き起こされる振動をＦＩＶ（Fluid Induced Vibration）と呼ぶ。
【０００６】
ＨＤＤにおいては、ＦＩＶを抑制し、ヘッド・ポジショニング精度を向上することが常に求められている。特に、磁気ディスクの記録密度が上がりＴＰＩ（Track Per Inch）が高くなるにつれて、より正確なヘッドのポジショニングが要求され、わずかなディスク・フラッタがより大きな問題となってくる。
【０００７】
ＨＤＤにおけるＦＩＶ特性を高めるため、ＨＤＤ内に、ディスクと対向するプレートを有する気流抑制部品を実装することが提案されている。例えば、特許文献１は、アクチュエータの上流側にエア・スポイラを設置した磁気ディスク装置が提案されている。このエア・スポイラは、磁気ディスク上のアクチュエータに向かう空気流を弱めて、磁気ヘッドの風乱振動を低減する。また、エア・スポイラは、磁気ディスク上の気流を弱めることで、ディスク・フラッタを抑制する。
【特許文献１】特開２００２−３１３０６１号公報
【発明の開示】
【発明が解決しようとする課題】
【０００８】
磁気ディスクの外周の周囲にはヘッド・スタック・アセンブリやその他の部品が存在するので、比較的多くの付着塵埃や浮遊塵埃が存在する。磁気ディスクの回転による気流に乗って、これらの塵埃がエア・スポイラへと向かう。さらに、エア・スポイラの下流においては、カルマン渦が発生する。この気流の乱れは、エア・スポイラ下流のディスク面に塵埃を付着させる。
【０００９】
ここで、従来の典型的なエア・スポイラは、樹脂で形成されている。これにより、樹脂は加工を高精度かつ効率的に行うことができる。気流による揺れを抑制するため、エア・スポイラには所定の剛性が要求され、典型的には、ポリイミド樹脂あるいはポリカーボネイト樹脂で形成されている。このような樹脂スポイラは絶縁体であり、組み立てにおける作業者や他部品との接触により帯電し、ドライブ内においては数十Ｖのレベルでプラスに帯電している。
【００１０】
ドライブ内の塵埃は、プラスの電荷を帯びている。そのため、エア・スポイラの翼と磁気ディスクとの間に引き込まれた塵埃は、エア・スポイラのプラス電荷に反発して、磁気ディスクへと向かう。また、プラスに帯電したエア・スポイラの翼により、対向する磁気ディスクはマイナスの電荷（誘導電荷）を帯びる。エア・スポイラと反発した塵埃は、マイナスに帯電した磁気ディスクに吸着されやすい。塵埃が付着した磁気ディスク表面上をヘッド・スライダが通過すると、ヘッド・スライダと磁気ディスクとの間に塵埃を噛み込み、磁気ディスクを損傷させて記録データを消失させる、あるいは、ヘッド・スライダのヘッド素子部を損傷させる可能性がある。
【課題を解決するための手段】
【００１１】
本発明の一態様は、ディスクを回転するモータと、前記モータが固定されているベースと、前記ディスクにアクセスするヘッド・スライダを支持し、回動軸において回動することで前記ヘッド・スライダを移動するアクチュエータと、気流抑制部品とを有するディスク・ドライブである。前記気流抑制部品は、前記ベース内に固定されており、前記ディスクの記録面と対向しており流出側において厚みが徐々に小さくなるプレートと前記プレートを支持する支持部とを有し、前記プレート及び前記支持部の本体部が樹脂で形成されており、前記プレートの表面がグランド電位あるいはマイナス電位に帯電している。この気流抑制部品により、ディスク面に付着する塵埃量を低減することができる。
【００１２】
好ましくは、前記気流抑制部品の全体は導電性樹脂で一体成形されている。これにより、ディスク面に付着する塵埃量を低減し所望の剛性を有する気流抑制部品を効率的に製造することができる。前記プレートは、その後縁に、上側プレート面と下側プレート面とをつなげる端面を有していることが好ましい。これにより、気流抑制部品の製造精度及び歩留まりを上げることができる。
【００１３】
好ましい例において、前記プレートの上側プレート面と下側プレート面とのそれぞれは、前記流出側において厚みが徐々に小さくなるように、テーパー面を有している。これにより、シンプルな形状で下流のカルマン渦を効果的に抑制することができ、ディスク面に付着する塵埃量をより低減することができる前記プレートの流入端面にディスク半径方向の延びる溝が形成されていることが好ましい。これにより、プレートとディスクとの間に入る急流を低減し、ディスク面に付着する塵埃量をより低減することができる。
【００１４】
前記翼の上側プレート面と下側プレート面とのそれぞれは粗面化された部分を有していることが好ましい。これにより、下流のカルマン渦を効果的に抑制することができ、ディスク面に付着する塵埃量をより低減することができる前記支持部は、前記ディスクの外周端と対向し、その外周端に沿った形状を有する内側面を有することが好ましい。これにより、ディスク・フラッタを抑制することができる。前記プレート及び前記支持部は、その表面にメッキ金属層あるいはマイナス帯電コーディング層を有していることができる。これにより、表面を上記所望電位にすることができる。
【発明の効果】
【００１５】
本発明によれば、ＦＩＶ特性を改善する気圧抑制部品によりディスク上に付着する塵埃を低減することができる。
【発明を実施するための最良の形態】
【００１６】
以下に、本発明を適用した実施の形態を説明する。説明の明確化のため、以下の記載及び図面は、適宜、省略及び簡略化がなされている。又、各図面において、同一要素には同一の符号が付されており、説明の明確化のため、必要に応じて重複説明は省略されている。以下においては、ディスク・ドライブの一例であるハードディスク・ドライブ（ＨＤＤ）において、本発明の実施形態を説明する。
【００１７】
本形態のディスク・ドライブは、その磁気ディスクの回転により生ずる気流を抑制する気流抑制部品に特徴を有している。気流抑制部品は、磁気ディスクと対向する翼状の比較的小さいプレートを有するエア・スポイラ、あるいは、磁気ディスクと対向する位置に配置される比較的大きなプレートを有するディスク・ダンパである。本形態のエア・スポイラあるいはディスク・ダンパは、流出端において厚みが徐々に減少するように構成されている。これにより、下流におけるカルマン渦を抑制し、塵埃がプレートと磁気ディスクとの間を含むディスク面上に付着することを抑制する。
【００１８】
さらに、本形態の気流抑制部品のプレートは、その表面が導電性あるいはマイナスに帯電する性質を有している。気流抑制部品の表面が上記電気特性を有することで、プラス帯電した塵埃が気流抑制部品と磁気ディスクとの間において磁気ディスクに吸着されることを抑制することができる。気流抑制部品の表面は、本体部と同じ材料が露出している、あるいは、本体部とは異なる材料で形成される。
【００１９】
気流抑制部品（プレート及びそのプレートを支持する支持部）の本体部は樹脂で形成されており、高い精度で効率的な製造を実現する。表面が本体部と同一の材料で形成されている場合、気流抑制部品は導電性樹脂あるいはマイナスに帯電する樹脂で形成される。好ましい剛性と電気特性とを実現するため、気流抑制部品は導電性樹脂で形成されていることが好ましい。表面と本体部とが異なる材料であるとき、表面の材料は、上記導電性樹脂及びマイナス帯電樹脂の他、メッキ金属を使用してもよい。あるいは、樹脂本体部に対してマイナス帯電するコーティング処理を施してもよい。
【００２０】
以下において、気流抑制部品の好ましい例であるエア・スポイラについて説明を行い、その後、ディスク・ダンパについて説明をする。本形態のエア・スポイラについて詳細に説明を行う前に、本形態のエア・スポイラが実装されるＨＤＤの全体構成を説明する。図１は、本実施の形態に係るＨＤＤ１００の構成を模式的に示す分解斜視図である。図１において、ＨＤＤ１００の各構成要素を収容するベース１０２は、ベースその上部開口を塞ぐトップ・カバー（不図示）とガスケットを介して固定されることによってディスク・エンクロージャを構成し、ＨＤＤ１００の各構成要素を収容する。
【００２１】
磁気ディスク１０１は、スピンドル・モータ１０３のハブ上に載置され、ネジ止めされたトップ・クランプ１０４とハブとに挟持されることによって、スピンドル・モータ１０３に固定される。本形態において、ＨＤＤ１００は３枚の磁気ディスクを有し、図１は一番上の磁気ディスク１０１が示されている。なお、本発明のエア・スポイラは、いずれの枚数の磁気ディスクを有するＨＤＤにも適用することができる。
【００２２】
スピンドル・モータ１０３はベース１０２の底面に固定され、磁気ディスク１０１を所定速度で回転する。図１において、磁気ディスク１０１は反時計回りに回転する。アクチュエータ１０６はその先端部にヘッド・スライダ１０５を支持している。ヘッド・スライダ１０５は、スライダと、スライダ表面に固定された変換素子としてのヘッド素子部を備える。ヘッド素子部は磁気ディスク１０１へのデータ書き込み及び／又は読み出しを行う。ヘッド素子部は、磁気ディスク１０１への記憶データに応じて電気信号を磁界に変換する記録素子及び／又は磁気ディスク１０１からの磁界を電気信号に変換する再生素子を有している。
【００２３】
アクチュエータ１０６は、ヘッドが配置されたその先端部から、サスペンション１１０、アーム１１１、コイル・サポート１１２、フラットコイル１１３の順で結合された各構成部材を備えている。ＶＣＭ１０９は、コントローラ（不図示）からの制御信号に応じてフラットコイル１１３に流される駆動電流により、回動軸１０７を中心としてアクチュエータ１０６をその短手方向（ディスク半径方向）において回動する。これによって、アクチュエータ１０６は磁気ディスク１０１の上でディスク表面の半径方向に沿ってヘッド・スライダ１０５を移動する、もしくは、磁気ディスク１０１の外側へヘッド・スライダ１０５移動する。これによって、ヘッド・スライダ１０５が所望のトラックにアクセス（リードもしくはライト）することができる。
【００２４】
磁気ディスク１０１に対向するスライダの浮上面と回転している磁気ディスク１０１との間の圧力がサスペンション１１０による磁気ディスク１０１方向への力とバランスすることによって、ヘッド・スライダ１０５は磁気ディスク１０１上を浮上する。磁気ディスク１０１の回転が停止するときには、アクチュエータ１０６はヘッド・スライダ１０５をデータ領域からランプ１１６に退避させる。ロードのときには、アクチュエータ１０６は、ランプ１１６から離脱して磁気ディスク１０１上に移動する。本形態は、ランプ１１６を有するロード・アンロード方式のＨＤＤを例示するが、ヘッドが磁気ディスク１０１の内周に配置されているゾーンに退避するＣＳＳ（Contact Start and Stop）のＨＤＤに、本発明を適用することも可能である。
【００２５】
ベース１０２の内側壁の一部は、磁気ディスク１０１の外周端に沿った円弧形状を有するシュラウド１２１を構成している。シュラウド１２１により磁気ディスク１０１の外周端とベース内壁との間のギャップを小さくし、ディスク・フラッタを抑制する。磁気ディスク１０１の外周端に対向するシュラウド１２１と磁気ディスク１０１の外周端との間のギャップは略一定である。
【００２６】
さらに、ベース１０２には、磁気ディスク１０１の回転により生じる回転方向の空気流の流速を弱めるために、シュラウド１２１の下流側とアクチュエータ１０６の上流側との間にエア・スポイラ５００が配置されている。具体的には、エア・スポイラ５００は、アクチュエータ１０６のコイル・サポート１１２の近傍に位置している。
【００２７】
図２（ａ）、（ｂ）は、エア・スポイラ５００の構造を模式的に示す斜視図である。図２（ａ）は、上側からエア・スポイラ５００の流出端側を見た図であり、図２（ｂ）は下側エア・スポイラ５００の流入端側を見た図である。エア・スポイラ５００の下側がベース１０２の底面に固定される。本明細書では、ベース１０２の底面を下側、トップ・カバー側を上側とする。図２（ａ）、（ｂ）の構成例において、このエア・スポイラ５００は、磁気ディスクの記録面に対向するように配置される３枚の翼５０１ａ、５０１ｂ、５０１ｃを有している。さらに、エア・スポイラ５００は、翼５０１ａ〜５０１ｃを支持する支持部５０２を有している。翼５０１ａ〜５０１ｃは、それぞれ、磁気ディスク上の気流を抑制するプレートである。
【００２８】
支持部５０２は貫通孔５２１を有しており、そこを貫通するネジによりベース１０２の底に固定される。ＨＤＤ１００の組み立てにおいては、磁気ディスク１０１を実装した後、エア・スポイラ５００をベース内に配置して、ネジにおり仮止めし、その後、ネジを中心として支持部５０２を回転させて翼５０１ａ〜５０１ｃを磁気ディスクと重なる位置に移動する。
【００２９】
翼５０１ａ〜５０１ｃは、上下方向（アクチュエータ回動軸方向あるいはＳＰＭスピンドル軸方向）において重なる複数の段となるように、支持部５０２の内側面（磁気ディスクの外周端に対向する面）５２２から突出している。最上段の翼５０１ａは、最上段の磁気ディスク１０１の上面の上にあり、その磁気ディスク１０１とトップ・カバーとの間に挿入される。二段目の翼５０１ｂは、一段目（最上段）の磁気ディスク１０１と二段目の磁気ディスクとの間に配置される。
【００３０】
そして、最下段（三段目）の翼５０１ｃは、二段目（最上段）の磁気ディスク１０１と三段目（最下段）の磁気ディスクとの間に挿入される。最下段の磁気ディスクとベース・底面との間には、翼を挿入しなくともよい。磁気ディスクの対面が静止壁であり空気流の流速が低いため、翼を設けなくても風乱振動の影響が小さいからである。同様の理由から、最上段の上には翼５０１ａを設けなくてもよい。
【００３１】
本形態のエア・スポイラ５００は、その表面がグランドもしくはマイナス電位、つまりグランド電位以下となるように、構成されている。これにより、エア・スポイラ５００によってマイナスの電荷が磁気ディスクに誘導されることを防ぎ、プラスに帯電した塵埃が磁気ディスク１０１上に堆積することを抑制する。好ましい構成において、エア・スポイラ５００の全体を導電性の樹脂で形成する。
【００３２】
典型的には、炭素繊維を含む樹脂（炭素繊維強化プラスチック）で形成する。エア・スポイラ５００は金属のベース１０２に接触しており、確実にエア・スポイラ５００の表面電位をグランド電位に落とす。製造上及び電気特性上、エア・スポイラ５００の全体を導電性樹脂で形成することが好ましいが、例えば、二色成型により、翼５０１ａ〜５０１ｃを含むエア・スポイラ５００の一部を導電性樹脂で形成し、他の部分を絶縁性樹脂で形成してもよい。その一部は、翼５０１ａ〜５０１ｃの他、支持部５０２の内側面５２２を含むことが好ましい。このとき、翼５０１ａ〜５０１ｃを含む導電性樹脂部をベース１０２に電気的に接続する。
【００３３】
エア・スポイラ５００は、内部の樹脂本体の表面にメッキ金属層を有していてもよい。典型的なメッキ金属層は、ステンレス層である。メッキ金属層をベース１０２に接触させることで、確実に電荷をベース１０２に逃がすことができる。導電性樹脂で形成する場合と同様に、メッキ金属層は、エア・スポイラ５００表面の全体を覆っていなくともよい。翼５０１ａ〜５０１ｃ含む一部表面をメッキ金属層で覆うことで、磁気ディスク上の塵埃の堆積を抑制することができる。
【００３４】
他の態様において、エア・スポイラ５００をマイナスに帯電する樹脂で形成する。樹脂材料としては、液晶ポリマを使用することができる。ドライブ内の塵埃はプラスに帯電しているため、磁気ディスクの誘導電荷がプラスであれば、磁気ディスク上の塵埃の堆積を抑制することができる。マイナスに帯電する樹脂を使用する場合、上記導電性樹脂の説明と同様に、エア・スポイラ５００の全体もしくは必要な一部をその樹脂で形成する。
【００３５】
このように、エア・スポイラ５００の全体を一種あるいは複数種の樹脂材料で形成する、あるいは翼５０１ａ〜５０１ｃ及び支持部５０２の本体部を樹脂で形成し表面にメッキ処理を施すことで、エア・スポイラ５００に上記特定の電気特性を与えるとともに、エア・スポイラ５００を高精度かつ効率的に製造することができる。
【００３６】
エア・スポイラ５００に起因するディスク上の塵埃の堆積を抑制するためには、エア・スポイラ５００の電気的特性のみならず、その構造も工夫することが要求される。エア・スポイラ５００の翼５０１ａ〜５０１ｃの下流において、カルマン渦による塵埃のディスク面への付着が起きる。そのため、翼５０１ａ〜５０１ｃの下流における気流を整えて、塵埃が、翼５０１ａ〜５０１ｃと磁気ディスク１０１との間を含む翼５０１ａ〜５０１ｃの周囲に集まることを抑制することが必要である。
【００３７】
以下において、本形態のエア・スポイラ５００の構造、特に、翼５０１ａ〜５０１ｃの形状について説明する。図３（ａ）は、エア・スポイラ５００の上面図、図３（ｂ）は、エア・スポイラ５００の流出端（下流側の後端）を示す側面図である。図３（ａ）に示すように、磁気ディスクの外周端と対向する支持部５０２の内側面５２２は、磁気ディスク１０１の外周端に沿った曲面である（図１を参照）。
【００３８】
内側面５２２は、図２に示すように、ＳＰＭ１０３のスピンドル軸と平行に起立している。内側面５２２は、磁気ディスク１０１の外周端の近傍に配置され、各磁気ディスクの外周端と内側面５２２との間の間隙は、ディスク円周方向において略一定である。このため、支持部５０２は、ベース１０２のシュラウド１２１と同様に、磁気ディスクのフラッタを抑制する効果を奏する。翼５０１ａ〜５０１ｃと内側面５２２とにより、１部品のエア・スポイラ５００によるＦＩＶ特性の改善効果を高めることができる。
【００３９】
図３（ａ）に示すように、翼５０１ａ〜５０１ｃは、磁気ディスクの外周端（支持部の内側面５２２）から磁気ディスク１０１の内周側に向かって翼幅（気流方向における寸法）が狭まるように延びて形成されている。また、図３（ｂ）に示すように、翼５０１ａ〜５０１ｃは、その流出端側において、下流に向かって厚みが減少している。
【００４０】
図４（ａ）は、図３（ａ）におけるＩＶ−ＩＶ切断線での翼５０１ａ〜５０１ｃの断面を含むエア・スポイラ５００の側面図である。図４（ｂ）は、ＩＶ−ＩＶ切断線における翼５０１ａの断面図である。図４（ａ）、（ｂ）において右から左に空気が流れ、エア・スポイラ５００の左側が流出側であり右側が流入側である翼５０１ａ〜５０１ｃは全て同一の形状を有しているため、以下においては、翼５０１ａの形状について説明する。
【００４１】
図３（ｂ）に示すように、翼５０１ａの断面は、流出側において下流に向かうにつれて徐々に減少している。翼５０１ａは、気流方向において水平（ディスク記録面に平行）に延びる流入側上面５１１と流入側下面５１２とを有している。流入側上面５１１と流入側下面５１２とは、共に水平であり、それらの間において翼５０１ａの厚みは気流方向において一定である。
【００４２】
翼５０１ａは、流出側（下流側）に、上側テーパー面５１３と下側テーパー面５１４とを有している。上側テーパー面５１３と流入側上面５１１とは連続しており、下側テーパー面５１４と流入側下面５１２とは連続している。上側テーパー面５１３と流入側上面５１１とは、翼５０１ａの上側翼面を構成し、下側テーパー面５１４と流入側下面５１２とは翼５０１ａの下側翼面を構成する。上側テーパー面５１３と下側テーパー面５１４とは、上流から下流に直線的に傾斜している。そのため、上側テーパー面５１３と下側テーパー面５１４との間の間隔（翼５０１ａの厚みは）は、上流から下流に向かって線形に減少している（減少率一定）。このように、翼５０１ａの厚みが流出側で減少することで、翼５０１ａの下流におけるカルマン渦を低減し、塵埃の引き込みを抑制することができる。
【００４３】
翼５０１ａの形状で重要な点の一つは、翼５０１ａが流出端面（後縁の端面）５１５を有していることである。典型的には、流出端面５１５は垂直（スピンドル軸に平行）であある。上側テーパー面５１３と下側テーパー面５１４とは、流出端で直接につながらず、流出端面５１５がこれらをつなぐ。このため、翼５０１ａの流出端において厚み（流出端面５１５）が存在している。これにより、エア・スポイラ５００製造の樹脂成型において、翼５０１ａの流出端における製造精度及びエア・スポイラ５００の製造歩留まりを高めることができる。
【００４４】
下流におけるカルマン渦を低減するため、翼５０１ａは、上側テーパー面５１３と下側テーパー面５１４の双方を有することが好ましいが、その内の一方のみを有していてもよい。また、翼５０１ａの流出側部の断面の上辺と下辺とは、上記例のように、直線でなくてもよい。例えば、断面の上辺と下辺とは、外側に凸の円弧あるいは内側に凸の円弧など、丸みを有する形状とすることができる。また、流入側上面及び流入側下面５１１、５１２は、設計により、水平面でなく、曲面あるいはテーパー面とすることができる。
【００４５】
好ましい構成において、翼５０１ａの上側翼面と下側翼面とは粗面化された部分を有している。翼５０１ａの表面を粗面化することで、表面に乱流境界層を形成することができ、エア・スポイラ５００の下流側のカルマン渦を低減することができる。図５（ａ）、（ｂ）は、粗表面を有する翼５０１ａの好ましい形状を模式的に示している。図５（ａ）はエア・スポイラ５００の上面図、図５（ｂ）は図５（ａ）のＢ−Ｂ切断線における翼５０１ａの断面図である。
【００４６】
翼５０１ａの上側翼面５１６と下側翼面５１７には、気流の方向に交差する方に延びる複数の畝５１８（溝）が形成されている。複数の畝５１８は互いに平行であり、磁気ディスク１０１の外周側から内周側に向かって延びている。このように、気流の方向に沿って複数の畝５１８を配列することで、効果的に乱流境界層を形成することができる。好ましくは、上下翼面５１６、５１７の双方に形成するが、その一方のみに形成してもよい。また、上下翼面５１６、５１７を粗面化する方法として、上下面５１６、５１７に複数のディンプルを形成する、あるいは多数の小さい柱を上下面５１６、５１７に形成してもよい。
【００４７】
上記各構成は、翼５０１ａの流出側の形状により、下流におけるカルマン渦の低減を図っている。翼５０１ａと磁気ディスク１０１との間に塵埃を送り込む要因は、下流におけるカルマン渦の他、上流から翼５０１ａと磁気ディスク１０１との間に流れ込む気流がある。この気流を低減することで、翼５０１ａと磁気ディスク１０１の間に流れ込む塵埃を低減することができる。そこで、図６（ａ）、（ｂ）、（ｃ）に示すように、好ましい構成において、翼５０１ａの流入端面（前縁の面）５１９に溝を形成する。
【００４８】
図６（ａ）は、下側から流入端面５１９を見る図であり、図６（ｂ）は図６（ａ）におけるＢ−Ｂ切断線での断面図である。図６（ｃ）は、図６（ｂ）とは異なる形状の流入端面５１９を有する翼５０１ａの断面図である。図６（ｂ）、（ｃ）の双方の構成において、流入端面５１９に溝が形成されている。流入端面５１９に溝を形成することで、上流からの気流を磁気ディスク１０１の内周側あるいは外周側へと導くことができ、翼５０１ａと磁気ディスク１０１の間に流れ込む気流、つまり塵埃を低減することができる。図６（ｂ）、（ｃ）において、溝の断面は円弧であるが、溝の形状はこれに限定されるものではない。例えば、矩形溝あるいはＶ溝など、溝内面を複数の平端面で構成してもよい。
【００４９】
図６（ｂ）に示すように、流入端面５１９の厚み方向における一部に溝を形成する、あるいは、図６（ｃ）に示すように流入端面５１９の厚み方向全域にわたる溝を形成してもよい。また、流入端面５１９を気流方向（ディスク円周における接線方向）において射影した場合に、溝が磁気ディスクの外周から内周に向かう全域に及ぶことが好ましい。しかし、ディスク半径方向において、流入端面５１９の一部のみに溝を形成する場合でも、気流をディスク内周側あるいは外周側に導く効果を奏することができる。なお、ディスク内周側あるいは外周側のいずれに空気が流れるかは、流入端面５１９と気流との間の角度に依存する。
【００５０】
以上のように、図１〜６を参照していくつかの態様のエア・スポイラ５００を説明した。この中で、図１〜４を参照して説明したように、エア・スポイラの特定の電気特性及び翼の流出側において変化する厚みの二つの要素を合わせもつことで、磁気ディスクへの塵埃堆積の大きな抑制効果を奏することができる。さらに、これらの構成要素に加えて、図５を参照して説明した翼の上下面の粗面化そして図６を参照して説明した流入端面における溝の、双方あるいは一方を追加することにより、さらに、磁気ディスクへの塵埃堆積を抑制する効果を高めることができる。
【００５１】
次に、気圧抑制部品の他の例であるディスク・ダンパを有するＨＤＤについて説明する。図７は、ディスク・ダンパ７００が実装されたＨＤＤ１００の構造を模式的に示す平面図である。図７において、最上面の磁気ディスク１０１は省略され、二段目の磁気ディスク１０１ｂが示されている。ディスク・ダンパ７００は、磁気ディスク間に挿入され記録面に対向するプレート７０１と、そのプレート７０１を支持し、ベース１０２に固定されている二つの支持部７２１、７２２を有している。プレート７００は、磁気ディスクの回転による発生する気流を抑制し、磁気ディスクのフラッタ振動を抑制することができる。
【００５２】
ＨＤＤ１００が３枚以上の磁気ディスクを有する場合、ディスク・ダンパは、磁気ディスク間の各空間にそれぞれ挿入される。各ディスク・ダンパは、図７に示すディスク・ダンパ７００と同様に、プレートと支持部とを有する。ＨＤＤ１００の組み立は、磁気ディとディスク・ダンパを交互にベース１０２内に配置する。これにより、各ディスク間スペースにディスク・ダンパを配置することができる。
【００５３】
本形態のディスク・ダンパ７００は、上記スポイラ５００と同様の構造を有する。つまり、その電気特性を決定する材料及びプレート７０１の形状は、スポイラ５００の構成材料及び翼５０１ａ〜５０１ｃの形状と同様である。スポイラ５００のついて行った材料及び形状についての上記説明は、ディスク・ダンパ７００に対して適用することができる。例えば、ディスク・ダンパ７００の全体を導電性樹脂で形成し、プレート７０１の流出側の上下面にテーパー面を形成する。これにより、磁気ディスク上の塵埃の蓄積を抑制することができる。ディスク・ダンパ７００の本体部を樹脂成型し、その周囲をメッキ金属で覆ってもよい。
【００５４】
また、プレート７０１の流出端７１２に端面を形成する、プレート７０１の流入端７１１の面に溝を形成する、あるいは、プレート７０１の上下面を粗面とすることができる。プレート７０１がこれらの形状要素の一つあるいは複数を有することで、プレート７０１の下流側におけるカルマン渦を抑制し、プレート７０１と磁気ディスクとの間に塵埃が蓄積することを抑制することができる。
【００５５】
尚、上記の説明は、本発明の実施形態を説明するものであり、本発明が上記の実施形態に限定されるものではない。当業者であれば、上記の実施形態の各要素を、本発明の範囲において容易に変更、追加、変換することが可能である。例えば、本発明を磁気ディスク以外のディスクを有するディスク・ドライブに適用することができる。
【図面の簡単な説明】
【００５６】
【図１】本実施形態に係るＨＤＤの全体構成を模式的に示す上面図である。
【図２】本実施形態に係るエア・スポイラの構造を模式的に示す斜視図である。
【図３】本実施形態に係るエア・スポイラの上面図及びエア・スポイラの流出端（下流側の後端）を示す側面図である。
【図４】本実施形態において、図３（ａ）におけるＩＶ−ＩＶ切断線での翼の断面及びエア・スポイラの側面を示す図と、ＩＶ−ＩＶ切断線における翼の断面図である。
【図５】本実施形態において、粗表面を有するエア・スポイラの翼を模式的に示す図である。
【図６】本実施形態において、エア・スポイラの翼の流入端面を示す図である。
【図７】本実施形態の他の態様にかかるディスク・ダンパを有するＨＤＤの全体構成を模式的に示す上面図である。
【符号の説明】
【００５７】
１００ハードディスク・ドライブ、１０１  磁気ディスク、１０２  ベース
１０３  スピンドル・モータ、１０４  トップ・クランプ、１０５  ヘッド・スライダ
１０６  アクチュエータ、１０７  回動軸、１０９  ボイス・コイル・モータ
１１０  サスペンション、１１１  アーム、１１２  コイル・サポート
１１３  フラットコイル、１１６  ランプ、１２１  シュラウド
５００  エア・スポイラ、５０１ａ〜５０１ｃ  翼、５０２  支持部
５１１  翼の流入側上面、５１２  翼の流入側下面、５１３  上側翼面のテーパー面
５１４  下側翼面テーパー面、５１５  翼の流出端面、５１６  翼の上面
５１７  翼の下面、５１８  畝、５１９  翼の流入端面、５２１  支持部の貫通孔
５２２  支持部の内側面、７００  ディスク・ダンパ、７０１  プレート
７１１  流入端、７１２  流出端、７２１、７２２  支持部
【図１】
2010134988.tif 000003
【図２】
2010134988.tif 000004
【図３】
2010134988.tif 000005
【図４】
2010134988.tif 000006
【図５】
2010134988.tif 000007
【図６】
2010134988.tif 000008
【図７】
2010134988.tif 000009